(57)【要約】【課題】リザーバカップ内の燃料がサイフォン現象により内燃機関の始動性を低下させる程度に大きく低下することを有効に抑制することのできる燃料供給システムを提供する。【解決手段】燃料タンク２１内に配置されるリザーバカップ２８と、リザーバカップ２８内に配置されたフィードポンプ２２と、燃料ポンプ２２から吐出される燃料を供給方向に案内する燃料供給通路Ｐ１と、フィードポンプ２２から吐出される燃料の一部を燃料タンク２１内に還流させるリターン通路Ｐ２と、リターン通路Ｐ２を通る燃料のリザーバカップ２８内への流入を許容する流入口２４ａを有するとともにリザーバカップ２８内への燃料の流入量を制御可能な電磁流量制御弁２４とを備えた燃料供給システムであって、電磁流量制御弁２４の流入口２４ａが、リザーバカップ２８内に貯留される燃料の液面変動範囲内で、リザーバカップ２８の高液面側に配置されている。【選択図】図１
2014202101.tif 000002
【特許請求の範囲】
【請求項１】
燃料タンク内に配置されるリザーバカップと、前記リザーバカップ内に配置された燃料ポンプと、前記燃料ポンプから吐出される燃料を供給方向に案内する燃料供給通路と、前記燃料ポンプから吐出される燃料の一部を前記燃料タンク内に還流させるリターン通路と、前記リターン通路を通る燃料の前記リザーバカップ内への流入を許容する流入口を有するとともに前記リザーバカップ内への燃料の流入量を制御可能な流入制御機構と、を備えた燃料供給システムであって、
前記流入制御機構の前記流入口が、前記リザーバカップ内に貯留される燃料の液面変動範囲内で、前記リザーバカップの高液面側に配置されていることを特徴とする燃料供給システム。
【請求項２】
前記流入制御機構の前記流入口が、前記燃料ポンプの吐出口の高さに対して前記リザーバカップの周壁の上端側に配置されていることを特徴とする請求項１に記載の燃料供給システム。
【請求項３】
前記燃料ポンプの前記吐出口が、前記リザーバカップの前記周壁の上端より低い位置に配置されており、
前記流入制御機構の前記流入口が、前記燃料ポンプの前記吐出口より高い位置に配置されていることを特徴とする請求項２に記載の燃料供給システム。
【請求項４】
前記燃料ポンプの前記吐出口が、前記リザーバカップの前記周壁の上端より高い位置に配置されており、
前記流入制御機構の前記流入口が、前記リザーバカップの前記周壁の上端の高さ位置に配置されていることを特徴とする請求項２に記載の燃料供給システム。
【請求項５】
前記燃料ポンプの前記吐出口および前記流入制御機構の前記流入口が、それぞれ前記リザーバカップの前記周壁の上端の高さ位置に配置されていることを特徴とする請求項１に記載の燃料供給システム。
【請求項６】
前記リターン通路のうち前記燃料ポンプから前記流入制御機構までの上流側リターン通路区間内に位置するよう、前記燃料ポンプ側から前記流入制御機構側への燃料の流れを許容し、前記流入制御機構側から前記燃料ポンプ側への燃料の流れを制限する一方向弁を配置したことを特徴とする請求項１ないし請求項５のうちいずれか１の請求項に記載の燃料供給システム。
【請求項７】
前記流入制御機構は、前記リターン通路を通る燃料の前記リザーバカップ内への流入を許容する開弁状態および前記リターン通路を通る燃料の前記リザーバカップ内への流入を制限する閉弁状態に切替え可能な電磁弁を含んで構成されていることを特徴とする請求項１ないし請求項６のうちいずれか１の請求項に記載の燃料供給システム。
【発明の詳細な説明】
【技術分野】
【０００１】
本発明は、燃料供給システムに関し、特に燃料タンク内のリザーバカップから燃料ポンプにより燃料供給するとともに余剰燃料を燃料タンク内に戻すリターン通路を有する燃料供給システムに関する。
【背景技術】
【０００２】
車両用の内燃機関（以下、エンジンという）においては、エンジンに供給する燃料の流量をエンジンの運転状態に応じて可変制御する燃料供給システムが多用されている。
【０００３】
このような燃料供給システムでは、燃料タンク内のリザーバカップから燃料ポンプにより燃料を汲み上げるとともに、燃料タンク内に還流される余剰燃料を利用してジェットポンプを作動させることにより、リザーバカップ内に燃料を補充するものが多い。
【０００４】
そのような燃料供給システムとして、例えば燃料タンク内のリザーバカップの内部に燃料ポンプとプレッシャレギュレータを配置し、燃料ポンプからプレッシャレギュレータの背圧室へと延びるリターン通路を、リザーバカップ内からリザーバカップ外のジェットポンプまで延長して、燃料ポンプをバイパスするバイパス通路を構成したものが知られている（例えば、特許文献１参照）。
【先行技術文献】
【特許文献】
【０００５】
【特許文献１】特開２０１１−１３２８４３号公報
【発明の概要】
【発明が解決しようとする課題】
【０００６】
しかしながら、上述のような従来の燃料供給システムにあっては、内燃機関に供給される燃料の圧力や流量を切り替えるために複数種の燃料ポンプを用いる必要があり、構成が複雑になったりコスト高になったりしてしまうという問題があった。
【０００７】
また、エンジンの運転を停止する際、いわゆるサイフォン現象により、燃料ポンプおよびリターン通路を通してリザーバカップ内の燃料がリザーバカップ外に流出してしまい、エンジンの始動時に、リザーバカップ内の燃料量が不足してしまう可能性があった。なお、ここにいうサイフォン現象とは、燃料ポンプの作動停止時に高液面となっているリザーバカップ内の燃料が、リザーバカップの周壁を乗り越えて、相対的に低液面となっているリザーバカップ外の燃料中に汲み出される現象である。
【０００８】
上述の２つの問題のうち前者に対しては、例えば吐出能力を変化させ得る燃料ポンプと、内燃機関の燃料消費量が少ないときには燃料ポンプから燃料タンク内への燃料の戻りを十分に許容し、燃料消費量が多かったり高燃圧が要求されたりするときには燃料タンク内への燃料の戻りを制限する機能を有する電磁弁等とを設けることで、システム構成の簡素化やコスト低減を図ることも考えられる。
【０００９】
しかし、その場合でも、サイフォン現象によりリザーバカップ内の燃料が燃料ポンプもしくは電磁弁からリザーバカップ外に流出することで、リザーバカップ内の燃料量がエンジン始動時に必要な量より不足してしまう可能性がある。また、サイフォン現象により、電磁弁から未濾過燃料が管路内に流入すると、電磁弁の異物噛み込み不良が発生することが懸念される。さらに、電磁弁から空気が入り、燃料ポンプからジェットポンプまでの管路内燃料抜けが発生すると、内燃機関の始動性が悪化してしまうことが懸念される。
【００１０】
そこで、本発明は、リザーバカップ内の燃料がサイフォン現象により内燃機関の始動性を低下させる程度に大きく低下することを有効に抑制することのできる燃料供給システムを提供するものである。
【課題を解決するための手段】
【００１１】
上記課題を解決するため、本発明に係る燃料供給システムは、（１）燃料タンク内に配置されるリザーバカップと、前記リザーバカップ内に配置された燃料ポンプと、前記燃料ポンプから吐出される燃料を供給方向に案内する燃料供給通路と、前記燃料ポンプから吐出される燃料の一部を前記燃料タンク内に還流させるリターン通路と、前記リターン通路を通る燃料の前記リザーバカップ内への流入を許容する流入口を有するとともに前記リザーバカップ内への燃料の流入量を制御可能な流入制御機構と、を備えた燃料供給システムであって、前記流入制御機構の前記流入口が、前記リザーバカップ内に貯留される燃料の液面変動範囲内で、前記リザーバカップの高液面側に配置されているものである。
【００１２】
この発明では、リザーバカップ内の液面がわずかに低下すると、流入制御機構の流入口がその液面から露出するか空気を吸い込み可能な状態となり、リザーバカップ内の高液面の燃料がリターン通路を通してリザーバカップ外の低液面の燃料中に汲み出されるサイフォン現象が迅速にかつ的確に抑制される。したがって、サイフォン現象によってリザーバカップ内の燃料が内燃機関の始動性を低下させる程度に大きく低下することが有効に抑制されることになる。なお、ここにいう液面変動範囲は、リザーバカップの内底面近傍の最低液面高さからリザーバカップの周壁の上端近傍の最高液面高さまでの範囲である。
【００１３】
本発明の燃料供給システムにおいては、（２）前記流入制御機構の前記流入口が、前記燃料ポンプの吐出口の高さに対して前記リザーバカップの周壁の上端側に配置されていてもよい。
【００１４】
この場合、流入制御機構の前記流入口は、燃料ポンプの吐出口の高さよりリザーバカップの周壁の上端側に位置することになる。したがって、流入制御機構や燃料ポンプを通したサイフォン現象が有効に抑制される。
【００１５】
本発明の燃料供給システムにおいては、（３）前記燃料ポンプの前記吐出口が、前記リザーバカップの前記周壁の上端より低い位置に配置されており、前記流入制御機構の前記流入口が、前記燃料ポンプの前記吐出口より高い位置に配置されていてもよい。
【００１６】
この場合、流入制御機構の前記流入口が燃料ポンプの吐出口より高い位置に配置されることで、流入制御機構や燃料ポンプを通したサイフォン現象が有効に抑制される。
【００１７】
本発明の燃料供給システムにおいては、（４）前記燃料ポンプの前記吐出口が、前記リザーバカップの前記周壁の上端より高い位置に配置されており、前記流入制御機構の前記流入口が、前記リザーバカップの前記周壁の上端の高さ位置に配置されていてもよい。
【００１８】
この場合、流入制御機構の前記流入口がリザーバカップの周壁の上端の高さ位置に配置されることで、流入制御機構や燃料ポンプを通したサイフォン現象が有効に抑制される。
【００１９】
本発明の燃料供給システムにおいては、（５）前記燃料ポンプの前記吐出口および前記流入制御機構の前記流入口が、それぞれ前記リザーバカップの前記周壁の上端の高さ位置に配置されていてもよい。
【００２０】
この場合、燃料ポンプの吐出口および流入制御機構の流入口がリザーバカップの周壁の上端の高さ位置に配置されることで、燃料ポンプや流入制御機構を通したサイフォン現象が共に有効に抑制されることになる。
【００２１】
本発明の燃料供給システムにおいては、（６）前記リターン通路のうち前記燃料ポンプから前記流入制御機構までの上流側リターン通路区間内に位置するよう、前記燃料ポンプ側から前記流入制御機構側への燃料の流れを許容し、前記流入制御機構側から前記燃料ポンプ側への燃料の流れを制限する一方向弁を配置してもよい。
【００２２】
この場合、流入制御機構側の燃料通路内に空気が入っても、一方向弁から燃料ポンプ側や燃料供給通路側に空気が侵入することが容易かつ確実に防止可能となる。
【００２３】
本発明の燃料供給システムにおいては、（７）前記流入制御機構は、前記リターン通路を通る燃料の前記リザーバカップ内への流入を許容する開弁状態および前記リターン通路を通る燃料の前記リザーバカップ内への流入を制限する閉弁状態に切替え可能な電磁弁を含んで構成されていてもよい。
【００２４】
この構成により、低燃料消費量時に電磁弁を開弁させる一方、高燃料消費量時に電磁弁を閉弁させることで、燃料ポンプの吐出能力の可変制御幅を抑えながらも、燃料供給圧や燃料供給量の可変制御幅を容易に拡大できる。
【発明の効果】
【００２５】
本発明によれば、リザーバカップ内の液面がわずかに低下すると流入制御機構の流入口が空気を吸い込み得るようにしているので、リザーバカップ内の燃料がサイフォン現象により内燃機関の始動性を低下させる程度に大きく低下することを有効に抑制することのできる燃料供給システムを提供することができる。
【図面の簡単な説明】
【００２６】
【図１】本発明の第１実施形態に係る燃料供給システムの概略の全体構成図である。
【図２】本発明の第１実施形態に係る燃料供給システムの要部構成図である。
【図３】本発明の第２実施形態に係る燃料供給システムの要部構成図である。
【図４】本発明の第３実施形態に係る燃料供給システムの要部構成図である。
【図５】本発明の第４実施形態に係る燃料供給システムの要部構成図である。
【図６】本発明の第５実施形態に係る燃料供給システムの要部構成図である。
【発明を実施するための形態】
【００２７】
以下、本発明の好ましい実施の形態について、図面を参照しつつ説明する。
【００２８】
（第１実施形態）
図１および図２は、本発明の第１実施形態に係る燃料供給システムを示しており、本発明を内燃機関の燃料供給システムに適用した実施の形態を示している。
【００２９】
まず、その燃料供給システムの構成について説明する。
【００３０】
図１に示すように、本実施形態の燃料供給システムは、多気筒内燃機関であるエンジン１０（燃料消費部）に対してポート噴射用の低圧側燃料を供給する第１燃料供給機構２０と、第１燃料供給機構２０からの供給燃料を加圧して筒内噴射用の高圧側燃料を供給する第２燃料供給機構３０と、エンジン１０の作動状態に応じて低圧側燃料の供給圧力を可変制御する燃圧可変機構４０と、を備えている。
【００３１】
エンジン１０は、自動車に搭載される多気筒の内燃機関、例えば直列４気筒の４サイクルガソリンエンジンである。このエンジン１０は、通常は、各気筒１１内において燃料、例えばガソリンを消費しつつ図示しないクランク軸から回転動力を出力する燃料消費状態で作動する。また、エンジン１０は、減速時やエンジンブレーキ時等において一時的に燃料をほとんど消費しないでクランク軸を回転させる燃料カット状態で作動したり、アイドル運転時等に低燃料消費量で作動したりできるようになっている。
【００３２】
エンジン１０の各気筒１１にはピストン１２が収納され、燃焼室１３が画成されるとともに、吸気弁１４および図示しない排気弁がそれぞれ所定のタイミングで開閉できるように装着されている。また、エンジン１０には、複数の気筒１１に対応する複数の点火プラグ１５がそれぞれ対応する燃焼室１３内に露出するように設けられており、これら点火プラグ１５を点火駆動する図外の点火駆動装置や、スロットル開度を可変制御する図示しない電子制御スロットルモータ等が装備されている。
【００３３】
第１燃料供給機構２０は、燃料タンク２１、フィードポンプ２２（燃料ポンプ）、リリーフ弁２３、電磁流量制御弁２４、低圧燃料配管２５、低圧側のデリバリーパイプ２６、複数のポート噴射用のインジェクタ２７（低圧燃料噴射弁）、リザーバカップ２８およびジェットポンプ２９を含んで構成されている。
【００３４】
燃料タンク２１は、その内方にリザーバカップ２８を配置した所定容積のもので、外部から燃料を補給できるようになっている。この燃料タンク２１においては、その内底面２１ｄから所定の最高液面高さまでの範囲内における燃料収容領域が、リザーバカップ２８内の小容積領域Ｒ１とリザーバカップ２８外の大容積領域Ｒ２とに区画されている。
【００３５】
フィードポンプ２２は、燃料タンク２１内の燃料を汲み上げて所定のフィード燃圧以上に加圧することができる吐出能力（吐出圧および吐出量）可変タイプのもので、例えば円周流ポンプで構成されている。このフィードポンプ２２は、詳細を図示しないが、ポンプ作動用の羽根車と、そのポンプ作動部分を駆動する内蔵モータとを有している。また、フィードポンプ２２は、例えばその内蔵モータの駆動電圧と負荷トルクとに応じてポンプ作動用の羽根車の回転速度および回転トルクのうち少なくとも一方を変化させることで、単位時間当りの吐出能力、すなわち吐出圧や吐出量を変化させることができるようになっている。また、フィードポンプ２２には、吸入燃料中の異物を捕捉するサクションフィルタ部分と吐出燃料中の異物を捕捉するフューエルフィルタ部分とを結合させた結合フィルタ２２ｆが装着されている。
【００３６】
リリーフ弁２３は、フィードポンプ２２から低圧燃料配管２５内に吐出される燃料の圧力が予め設定された設定上限圧力に達するまでに上昇したときに開弁し、その燃圧を設定上限圧力以下に制限する安全弁機能を有する圧力制御弁である。ここにいう設定上限圧力とは、この設定上限圧力を超える燃圧になると例えばポート噴射用のインジェクタ２７からの燃料漏れを誘発し易くなる程度に高い燃圧である。
【００３７】
図２に示すように、リリーフ弁２３は、例えば低圧燃料配管２５側からの燃料の排出口（詳細図示せず）を閉止するリリーフ弁体２３ａおよび弁座２３ｂと、このリリーフ弁体２３ａを常時閉弁方向に付勢する弁ばね２３ｃとを有しているが、リリーフ弁２３のこのような構造自体は、燃料圧力の制限に利用可能な従来の任意のリリーフ弁構造とすることができる。
【００３８】
電磁流量制御弁２４は、低圧燃料配管２５内（特に後述するリターン通路Ｐ２内）を通る燃料が燃料タンク２１のリザーバカップ２８内に流入するのを許容する開弁状態と、低圧燃料配管２５内からリザーバカップ２８内への燃料の流入を制限する閉弁状態とに切替え可能な電磁弁である。この電磁流量制御弁２４は、エンジン１０のアイドル運転時等のように燃料消費量が所定量より少量であるときに非励磁状態となり、余剰の燃料を燃料タンク２１内に戻すことができるようになっている。
【００３９】
具体的には、図２に示すように、電磁流量制御弁２４は、少なくとも一部に磁性体を含む弁体２４ｖと、この弁体２４ｖを軸方向に可動な状態で保持するとともに低圧燃料配管２５側からの燃料をリザーバカップ２８内に流入させることができる流入口２４ａを形成している保持筒部２４ｂとを有している。また、電磁流量制御弁２４は、通電により励磁されたとき保持筒部２４ｂ内の弁体２４ｖを図２中の上方側である軸方向一方側に付勢することができる電磁コイル２４ｃと、弁体２４ｖが電磁コイル２４ｃにより軸方向一方側に付勢されたとき弁体２４ｖが着座可能な弁座２４ｓとを有している。
【００４０】
そして、電磁流量制御弁２４は、電磁コイル２４ｃが励磁されることによって弁体２４ｖが弁座２４ｓに着座したとき、低圧燃料配管２５内からリザーバカップ２８内への燃料の流入を実質的に阻止する閉弁状態となる。また、電磁流量制御弁２４は、電磁コイル２４ｃが非励磁状態となって弁体２４ｖがその弁座２４ｓから離脱したとき、低圧燃料配管２５内からリザーバカップ２８内へ流入口２４ａを通して燃料が流入を許容する開弁状態となる。なお、弁体２４ｖは、電磁流量制御弁２４の開弁時に保持筒部２４ｂの流入口２４ａを閉止することなく保持筒部２４ｂの一部に突き当たるようになっている。
【００４１】
このように、電磁流量制御弁２４は、低圧燃料配管２５内を通る燃料のリザーバカップ２８内への流入を許容する流入口２４ａを有しており、リザーバカップ２８内への燃料の流入量を制御可能な流入制御機構を構成している。
【００４２】
この電磁流量制御弁２４の流入口２４ａは、リザーバカップ２８内に貯留される燃料の液面変動範囲内でリザーバカップ２８の高液面側に、例えばフィードポンプ２２の吐出口２２ａの高さＨ２（高さ方向の位置）に対してわずかにリザーバカップ２８の周壁２８ｅの上端の高さＨ１（高さ方向の位置）側に配置されている。ここにいう液面変動範囲は、リザーバカップ２８の内底面２８ｄの近傍に位置する最低液面高さから、リザーバカップ２８の周壁２８ｅの上端の高さＨ１の近傍に位置する最高液面高さまでの範囲であり、液面変動や表面張力等をも考慮して設定することができる。
【００４３】
なお、本実施形態では、フィードポンプ２２の吐出口２２ａが、リザーバカップ２８の周壁２８ｅの上端の高さＨ１より低い高さＨ２付近に配置されているので、電磁流量制御弁２４の流入口２４ａがフィードポンプ２２の吐出口２２ａより高い位置に配置されている。しかし、フィードポンプ２２の吐出口２２ａがリザーバカップ２８の周壁２８ｅの上端の高さＨ１に近ければ、フィードポンプ２２の吐出口２２ａより低い高さ位置に配置されてもよい。
【００４４】
低圧燃料配管２５は、フィードポンプ２２からの供給燃料を低圧側のデリバリーパイプ２６に供給できるようになっている。この低圧燃料配管２５は、フィードポンプ２２から低圧側のデリバリーパイプ２６への燃料供給通路Ｐ１を形成する供給配管部２５ａと、フィードポンプ２２から燃料タンク２１内へのリターン通路Ｐ２を形成するリターン配管部２５ｂと、によって構成されている。
【００４５】
ここで、燃料供給通路Ｐ１は、フィードポンプ２２から吐出される燃料を予め設定された供給方向に案内することで、低圧側のデリバリーパイプ２６内に流入させることができる。また、リターン通路Ｐ２は、燃料供給通路Ｐ１から分岐して燃料タンク２１の内底部側に戻るように方向付けられており、フィードポンプ２２から吐出される燃料の一部を燃料タンク２１内に還流させることができるようになっている。さらに、リターン通路Ｐ２は、電磁流量制御弁２４に接続しつつフィードポンプ２２からリザーバカップ２８外に延びる第１リターン通路部Ｐ２ａと、第１リターン通路部Ｐ２ａから分岐しつつ流入口２４ａを形成するよう電磁流量制御弁２４からリザーバカップ２８内に向かって開口する第２リターン通路部Ｐ２ｂとを有している。
【００４６】
低圧側のデリバリーパイプ２６は、フィードポンプ２２によって加圧された燃料を低圧燃料配管２５を通し導入するとともに所定量の燃料を貯留する金属製のもので、その燃料の圧力に応じて撓むことにより燃圧の脈動を吸収する機能と、ポート噴射用のインジェクタ２７からのポート噴射に必要な燃圧を蓄圧する機能とを併有している。
【００４７】
複数のポート噴射用のインジェクタ２７は、エンジン１０の複数の気筒１１に対応する吸気枝管部に設けられており、それぞれの噴孔部を各気筒１１に対応する吸気ポート１１ａ内に露出させている。また、複数のインジェクタ２７は、それぞれ低圧側のデリバリーパイプ２６に配管接続されるとともに、ＥＣＵ４２からのポート噴射駆動信号により開弁するようＥＣＵ４２側の図示しないドライバ回路に配線接続されている。そして、複数のインジェクタ２７がポート噴射駆動信号により順次噴射駆動されるとき、デリバリーパイプ２６内に蓄圧・貯留されている燃料が、開弁したいずれかインジェクタ２７から吸気ポート１１ａ内に噴射されるようになっている。
【００４８】
リザーバカップ２８は、燃料タンク２１の内方で、鉛直上方側を開放させる凹状をなしており、その内底面２８ｄを取り囲むように、周壁２８ｅが燃料タンク２１の高さＨ１まで上方に延びつつ周方向に連続して形成されている。なお、燃料タンク２１は、その底壁形状によってリザーバカップに対応するサブタンクとその外部のタンク部分とに区分される鞍型その他のものでもよい。すなわち、リザーバカップ２８は、燃料タンク２１の底壁部分を凹凸にして形成したサブタンクによって構成されてもよい。また、リザーバカップ２８内に配置されるフィードポンプ２２は、結合フィルタ２２ｆを介してリザーバカップ２８の内底面２８ｄ上に支持されているが、周壁２８ｅによって支持されてもよい。
【００４９】
ジェットポンプ２９は、低圧燃料配管２５のリターン配管部２５ｂの先端に設けられたノズル部２５ｎを、燃料タンク２１の底部外周に開口しつつ燃料タンク２１の内壁上部側に延びるポンプ通路２８ｂ内に挿入したものである。このジェットポンプ２９は、低圧燃料配管２５内にフィード圧で圧送される燃料をリターン配管部２５ｂのノズル部２５ｎからポンプ通路２８ｂの絞り部２８ｃ内に噴射させることで、絞り部２８ｃの上流側の燃料を下流側に引き込むように付勢し、リザーバカップ２８内に流入させるようになっている。また、ジェットポンプ２９は、エンジン１０で遂次消費される燃料消費量分だけリザーバカップ２８内に燃料を導入できるように構成されている。
【００５０】
ここで、リザーバカップ２８に形成されたポンプ通路２８ｂは、リザーバカップ２８の内底面２８ｄから周壁２８ｅの上端の高さＨ１よりわずかに低い高さＨ２の位置でリザーバカップ２８内に開口している。この高さＨ２は、例えばフィードポンプ２２の吐出口２２ａの開口高さと略同一の高さである。
【００５１】
第２燃料供給機構３０は、プランジャ型の燃料加圧ポンプ３１、電磁スピル型の吸入制御弁３２、高圧燃料配管３５、高圧側のデリバリーパイプ３６、および、複数の筒内噴射用のインジェクタ３７（高圧燃料噴射弁）を含んで構成されている。
【００５２】
燃料加圧ポンプ３１は、図示しないプランジャを往復動させて燃料加圧室の容積を変化させることにより、フィードポンプ２２で加圧された燃料を高圧燃料配管３５を通して燃料加圧室内に吸入するとともに、吸入した燃料を吸入制御弁３２の閉弁状態下で加圧して、気筒内直接燃料噴射が可能な程度の高圧で吐出できるようになっている。
【００５３】
吸入制御弁３２は、燃料加圧ポンプ３１の燃料加圧動作を可能にするよう選択的に励磁駆動され、燃料加圧ポンプ３１の燃料加圧室の容積増加期間中に開弁するとともに、燃料加圧ポンプ３１の燃料加圧室の容積減少期間中に吐出量（吐出燃料流量）に応じた必要期間だけ閉弁することができる。また、吸入制御弁３２は、燃料加圧ポンプ３１の燃料加圧動作を不能にするよう、その開弁状態を保持することができるようになっている。
【００５４】
高圧側のデリバリーパイプ３６は、燃料加圧ポンプ３１により高圧に加圧された燃料を導入して貯留する高剛性の金属製のもので、気筒内直接燃料噴射に必要な高圧の燃料を蓄圧・貯留する機能を有している。
【００５５】
複数の筒内噴射用のインジェクタ３７は、それぞれ高圧側のデリバリーパイプ３６に配管接続されるとともに、ＥＣＵ４２からの筒内噴射駆動信号により開弁するようＥＣＵ４２側の図示しないドライバ回路に配線接続されている。これらインジェクタ３７は、それぞれその開弁時に高圧側のデリバリーパイプ３６内に蓄圧・貯留された高圧燃料を筒内噴射駆動信号による所定時間毎の開弁時間比率（デューティ比）に応じて、対応する気筒１１内に噴射するようになっている。
【００５６】
なお、燃料加圧ポンプ３１は、エンジン１０の図示しないクランク軸からの回転動力により駆動されるようになっている。また、電磁スピル型の吸入制御弁３２は、例えば非通電時に常時開弁状態となる常開型のものである。
【００５７】
燃圧可変機構４０は、第１燃料供給機構２０のフィードポンプ２２の作動を制御することでシステム供給燃圧を制御することができる燃圧制御回路（図１中にはＦＰＣと記す）４１と、燃圧制御回路４１を介してフィードポンプ２２の吐出能力を可変制御することができるＥＣＵ４２とによって構成されている。この燃圧可変機構４０は、車両およびエンジン１０の運転状態とドライバからの要求操作入力等に基づいて、フィードポンプ２２の吐出能力を可変制御する機能を発揮するようになっている。
【００５８】
燃圧制御回路４１は、ＥＣＵ４２からの要求燃圧Ｐｃに応じてフィードポンプ２２の駆動電圧を制御することにより、フィードポンプ２２の吐出能力（吐出量および吐出圧）を可変制御して、低圧側のデリバリーパイプ２６内の燃圧をＥＣＵ４２からの要求燃圧Ｐｃに追従させることができるようになっている。なお、ＥＣＵ４２からの要求燃圧Ｐｃは、車両およびエンジン１０の運転状態とドライバからの要求操作入力等に基づいて、ＥＣＵ４２によって算出される。また、低圧側のデリバリーパイプ２６内の実燃圧は、低圧側の燃圧センサ６５によって検出され、その検知情報がＥＣＵ４２に取り込まれるようになっている。
【００５９】
ＥＣＵ４２は、例えばＣＰＵ（Central Processing Unit）、ＲＯＭ（Read Only Memory）、ＲＡＭ（Random Access Memory）およびバックアップメモリ（例えば、不揮発性メモリまたはバッテリによりバックアップされるＲＡＭ）を含んで構成されており、さらに、入力インターフェース回路および出力インターフェース回路等を含んで構成されている。
【００６０】
ＥＣＵ４２の入力インターフェース回路には、図外のイグニッションスイッチのＯＮ／ＯＦＦ信号が取り込まれるとともに、各種センサ群からのセンサ情報がＡ／Ｄ変換器等を含む入力インターフェース回路を通して取り込まれるようになっている。ＥＣＵ４２の出力インターフェース回路には、図示しないドライバ回路を介してポート噴射用および筒内噴射用のインジェクタ２７、３７や吸入制御弁３２の電磁駆動部（図示せず）が配線接続されるとともに、燃圧制御回路４１や電子スロットルモータ、前述の点火装置等が接続されている。
【００６１】
ＥＣＵ４２の入力インターフェース回路に接続される各種センサ群とは、例えばアクセル開度センサ６１、エアフローメータ６２、クランク角センサ６３、水温センサ６４および低圧側の燃圧センサ６５であるが、その他に、吸気温度センサ、スロットル開度センサ、空燃比センサ、酸素センサ、吸気用カム角センサ、排気用カム角センサ、高圧燃圧センサ等が含まれ得る。
【００６２】
燃圧可変機構４０のＥＣＵ４２は、ＲＯＭ内に格納された制御プログラムを実行することで、公知の電子スロットル制御、燃料噴射量制御、点火時期制御、燃料カット制御等を実行することができる。例えば、ＥＣＵ４２は、エアフローメータ６２により検出される吸入空気量とクランク角センサ６３により検出されるエンジン回転数とに基づいて燃焼毎に必要な基本噴射量を算出し、さらに、エンジン１０の運転状態に応じた各種補正や空燃比フィードバック補正等を施した燃料噴射量を算出する。そして、燃圧可変機構４０は、その燃料噴射量に対応する燃料噴射時間だけ対応するインジェクタ２７、３７を開弁駆動することができる。
【００６３】
また、ＥＣＵ４２は、エンジン１０の運転状態に応じて目標燃圧を設定し、例えばエンジン１０の冷却水温が所定温度以上の高温となっている状態でエンジン１０が始動される高温再始動時や、燃料カット状態から燃料消費状態である通常運転状態への復帰時等に、目標燃圧を特定の高燃圧に設定するようになっている。
【００６４】
一方、ＥＣＵ４２は、例えばエンジン１０が専ら部分負荷運転となるモード域にあるときには、そのモード域でのエンジン１０の発熱等によって燃料供給経路中に燃料ベーパが生じ難いように、低圧の目標燃圧を設定するようになっている。この低圧側の目標燃圧が設定されるときのフィードポンプ２２の駆動電圧は、フィードポンプ２２の内部に結合フィルタ２２ｆを通る程度の異物が吸入されたとしても、それによってフィードポンプ２２のポンプ作動用の羽根車がロックされない程度に十分な回転トルクを発生させ得るものとなるようになっている。
【００６５】
ＥＣＵ４２は、エンジン１０の運転期間中またはイグニッションＯＮの状態下で、所定時間毎に、このような目標燃圧をエンジン１０の運転状態やドライバからの加速要求やシフト操作その他の要求操作入力等に応じて設定し、その設定圧値を要求燃圧Ｐｃとして燃圧制御回路４１に出力するようになっている。
【００６６】
このＥＣＵ４２からの要求燃圧Ｐｃを入力する燃圧制御回路４１は、入力した要求燃圧Ｐｃと燃圧センサ６５によって検出されるデリバリーパイプ２６内の実燃圧とが一致するように、それらの燃圧間の偏差に応じてフィードポンプ２２の駆動電圧を制御する。そして、燃圧制御回路４１からの駆動電圧の変化に応じて、フィードポンプ２２のポンプ作動用の羽根車の回転速度や回転トルク（勿論、速度とトルクの双方でもよい）が変化し、フィードポンプ２２の吐出能力が変化することで、低圧側のデリバリーパイプ２６内の燃圧が要求燃圧Ｐｃに追従する方向に変化する。
【００６７】
なお、燃圧制御回路４１には、フィードポンプ２２の内蔵モータの端子電圧を検出する電圧検出部や、フィードポンプ２２の内蔵モータに流れる電流を検出する電流検出部が設けられている。そして、燃圧制御回路４１は、ＥＣＵ４２からの要求燃圧Ｐｃと燃圧センサ６５により検出される実燃圧との偏差に応じて、フィードポンプ２２の内蔵モータに印加する電圧を制御したり、異常診断のためのフィードポンプ２２の内蔵モータの作動状態に応じた診断用信号（図１中のＤｉａｇ信号）をＥＣＵ４２に供給したりすることができるようになっている。この燃圧制御回路４１には、バッテリからの電源供給がなされるとともに、ＥＣＵ４２が通信可能に接続されている。また、燃圧制御回路４１には、フィードポンプ２２の内蔵モータに印加する電圧またはフィードポンプ２２の内蔵モータへの供給エネルギを可変制御するための図示しないスイッチング素子等が内蔵されている。
【００６８】
次に、作用について説明する。
【００６９】
上述のように構成された本実施形態においては、第１燃料供給機構２０のフィードポンプ２２によってリザーバカップ２８内の燃料が汲み上げられて、フィード圧に加圧された燃料が吐出口２２ａから吐出される。そして、フィードポンプ２２から吐出された燃料は、低圧燃料配管２５の供給配管部２５ａを通して低圧側のデリバリーパイプ２６に供給されるとともに、第２燃料供給機構３０にも供給される。
【００７０】
このとき、第１燃料供給機構２０では、フィードポンプ２２によりフィード圧に加圧された燃料が低圧側のデリバリーパイプ２６内に蓄圧・貯留され、いずれかのインジェクタ２７が噴射駆動されて開弁するとき、そのインジェクタ２７から対応する吸気ポート１１ａ内に燃料が噴射される。
【００７１】
また、第２燃料供給機構３０では、ＥＣＵ４２により吸入制御弁３２が適時に閉弁状態にされることで、プランジャ型の燃料加圧ポンプ３１によって高圧に加圧された燃料が高圧側のデリバリーパイプ３６に必要量だけ導入されるとともに、高圧側のデリバリーパイプ３６内の高燃圧が所定値に制御される。そして、いずれかのインジェクタ３７が噴射駆動されて開弁するとき、そのインジェクタ３７から対応する気筒１１内に高圧の燃料が直接に噴射される。
【００７２】
さらに、エンジン１０のアイドル運転時等のように燃料消費量が所定量より少量であるときには、電磁流量制御弁２４が非励磁・開弁状態にされ、フィードポンプ２２から吐出される燃料のうち比較的多量（高比率）の余剰の燃料が、低圧燃料配管２５のリターン配管部２５ｂを通してジェットポンプ２９側に供給されるとともに、電磁流量制御弁２４を通して燃料タンク２１内にも流入するように、還流される。
【００７３】
この状態においては、電磁流量制御弁２４を通して燃料タンク２１内にも流入する燃料の流入量が多くなり、ジェットポンプ２９によるリザーバカップ２８内への燃料の汲み上げ量は少なくなる。したがって、エンジン１０の低燃料消費量時にジェットポンプ２９によるリザーバカップ２８内への燃料の補給量が、フィードポンプ２２の比較的少量の燃料吐出量よりさらに少量に抑えられる。
【００７４】
一方、エンジン１０の高負荷運転時等のように燃料消費量が多量であるときには、電磁流量制御弁２４が励磁されて閉弁状態にされ、フィードポンプ２２から吐出される燃料のうち低比率の余剰の燃料が、ジェットポンプ２９にのみ供給される還流状態となる。したがって、エンジン１０の高燃料消費量時にジェットポンプ２９によるリザーバカップ２８内への燃料の補給量が、フィードポンプ２２の比較的多量の燃料吐出量に応じて十分に増加する。
【００７５】
このように、エンジン１０の運転中、エンジン１０に要求される運転状態に応じて、リザーバカップ２８内でのフィードポンプ２２による燃料の汲み上げがなされる一方で、電磁流量制御弁２４およびジェットポンプ２９の作動によりリザーバカップ２８内に燃料が流入する。したがって、リザーバカップ２８内の燃料の液面Ｌ１は、リザーバカップ２８の周壁２８ｅの上端の高さＨ１付近に維持される。
【００７６】
エンジン１０が停止されるときには、フィードポンプ２２の作動が停止されてエンジン１０への燃料供給が停止されるとともに、電磁流量制御弁２４の通電による励磁状態が解かれて電磁流量制御弁２４が開弁状態となる。
【００７７】
このエンジン１０の停止に際しては、リターン通路Ｐ２内の燃料がまだ還流方向に移動しているので、リザーバカップ２８内の高液面Ｌ１の燃料がリターン通路Ｐ２を通してリザーバカップ２８外の低液面Ｌ２の燃料中に汲み出されるサイフォン現象が発生し得る。
【００７８】
しかし、サイフォン現象が発生してリザーバカップ２８内の燃料の液面Ｌ１がわずかに低下すると、電磁流量制御弁２４の流入口２４ａがその液面Ｌ１から露出するか、空気を吸い込み可能な状態となるので、リザーバカップ２８内の燃料がリザーバカップ２８外に汲み出されるサイフォン現象が迅速にかつ的確に抑制される。その結果、サイフォン現象によってリザーバカップ２８内の燃料がエンジン１０の始動性を低下させる程度に大きく低下することが有効に抑制され、エンジン１０の始動時にリザーバカップ２８内の燃料量が不足してしまうことが防止できることとなる。
【００７９】
特に、本実施形態では、電磁流量制御弁２４の流入口２４ａがフィードポンプ２２の吐出口２２ａより上側となるリザーバカップ２８の周壁２８ｅの上端側に位置するので、フィードポンプ２２や電磁流量制御弁２４を通したサイフォン現象が有効に抑制される。
【００８０】
しかも、電磁流量制御弁２４に空気が入るまで未濾過燃料が電磁弁内に流入してしまうが、リザーバカップ２８の周壁２８ｅの上端の高さＨ１付近に配置した電磁流量制御弁２４の内方に未濾過燃料が流入し続けることが非常に早期に抑制されることとなる。したがって、未濾過燃料が電磁流量制御弁２４から低圧燃料配管２５内に流入することによって電磁流量制御弁２４に異物噛み込み不良が発生することが、有効に抑制される。
【００８１】
また、本実施形態では、エンジン１０の低燃料消費量時には電磁流量制御弁２４を開弁させる一方、エンジン１０の高燃料消費量時には電磁流量制御弁２４を閉弁させるので、フィードポンプ２２の吐出能力の可変制御幅を抑えながらも、燃料供給システムとしての燃料供給圧や燃料供給量の可変制御幅を容易にかつ十分に拡大することができる。
【００８２】
このように、本実施形態においては、リザーバカップ２８内の液面がわずかに低下すると電磁流量制御弁２４の流入口２４ａが空気を吸い込み得るようにしているので、エンジン１０の停止時に電磁流量制御弁２４が開弁しても、サイフォン現象によりリザーバカップ２８内の燃料がリザーバカップ２８外に流出するのを防止することができる。よって、サイフォン現象によりリザーバカップ２８内の燃料がエンジン１０の始動性を低下させる程度に大きく低下することを有効に抑制することのできる燃料供給システムを提供することができる。
【００８３】
（第２実施形態）
図３は、本発明の第２実施形態に係る燃料供給システムの要部構成を示している。
【００８４】
なお、以下に説明する各実施形態は、上述の第１実施形態と類似する全体構成を有するので、第１実施形態と同一または類似する構成については図１および図２に示した対応する構成要素の符号を用い、以下、第１実施形態との相違点について説明する。
【００８５】
本実施形態においては、リターン通路Ｐ２のうちフィードポンプ２２から電磁流量制御弁２４までの上流側リターン通路区間Ｐ２ｕ内に位置するよう、フィードポンプ２２側から電磁流量制御弁２４側への燃料の流れを許容し、電磁流量制御弁２４側からフィードポンプ２２側への燃料の流れを制限するチェック弁５１（一方向弁）が配置されている。このチェック弁５１は、例えば非常に小さい所定の前後差圧分だけフィードポンプ２２側が高圧になると開弁し得るが、電磁流量制御弁２４の流入口２４ａから空気が吸い込まれてもチェック弁５１の閉弁状態を保持して、チェック弁５１よりフィードポンプ２２側の燃料供給通路Ｐ１内に空気が入ることを阻止できるものである。
【００８６】
具体的には、チェック弁５１は、例えば球状の弁体５１ｖ、円錐状の弁座５１ｓおよび弁ばね５１ｃを有しており、球状の弁体５１ｖが弁ばね５１ｃによって弁座５１ｓに付勢されている。その他の構成は、第１実施形態と同様である。
【００８７】
本実施形態においても、リザーバカップ２８内の液面Ｌ１がわずかに低下すると電磁流量制御弁２４の流入口２４ａが露出するか空気を吸い込み得るようになるので、サイフォン現象によりリザーバカップ２８内の燃料がリザーバカップ２８外に流出するのを防止することができ、第１実施形態と同様の効果を得ることができる。
【００８８】
さらに、本実施形態においては、電磁流量制御弁２４側の第２リターン通路部Ｐ２ｂ内に空気が入っても、電磁流量制御弁２４からフィードポンプ２２側や燃料供給通路Ｐ１側に空気が侵入することが、容易かつ確実に防止可能となる。よって、フィードポンプ２２からジェットポンプ２９までのリターン配管部２５ｂ内の燃料抜けによりエンジン１０の始動性が悪化することを防止できる。
【００８９】
（第３実施形態）
図４は、本発明の第３実施形態に係る燃料供給システムの要部構成を示している。
【００９０】
本実施形態においては、フィードポンプ２２の吐出口２２ａが、リザーバカップ２８の周壁２８ｅの上端の高さＨ１よりさらに高い高さＨ３（高さ方向の位置）に配置されている。そして、電磁流量制御弁２４の流入口２４ａは、リザーバカップ２８内に貯留される燃料の液面変動範囲内で、高液面側であるリザーバカップ２８の周壁２８ｅの上端の高さＨ１か、そのごく近傍に配置されている。
【００９１】
本実施形態においても、リザーバカップ２８内の液面Ｌ１がわずかに低下すると電磁流量制御弁２４の流入口２４ａが露出するか空気を吸い込み得るようになるので、サイフォン現象によりリザーバカップ２８内の燃料がリザーバカップ２８外に流出するのを防止することができ、第１実施形態と同様の効果を得ることができる。
【００９２】
さらに、本実施形態においては、電磁流量制御弁２４の流入口２４ａがリザーバカップ２８の周壁２８ｅの上端の高さＨ１に配置されることで、電磁流量制御弁２４を通してリザーバカップ２８外に燃料を流出させるサイフォン現象や、フィードポンプ２２を通してリザーバカップ２８外に燃料を流出させるサイフォン現象が有効に抑制される。
【００９３】
（第４実施形態）
図５は、本発明の第４実施形態に係る燃料供給システムの要部構成を示している。
【００９４】
本実施形態においては、フィードポンプ２２の吐出口２２ａおよび電磁流量制御弁２４の流入口２４ａが、それぞれ、リザーバカップ２８内に貯留される燃料の液面変動範囲内で高液面側であるリザーバカップ２８の周壁２８ｅの上端の高さＨ１に配置されている。
【００９５】
したがって、本実施形態においても、リザーバカップ２８内の液面Ｌ１がわずかに低下すると電磁流量制御弁２４の流入口２４ａが露出するか空気を吸い込み得るようになり、サイフォン現象によりリザーバカップ２８内の燃料がリザーバカップ２８外に流出するのを防止することができ、第１実施形態と同様の効果を得ることができる。
【００９６】
さらに、本実施形態では、フィードポンプ２２の吐出口２２ａおよび電磁流量制御弁２４の流入口２４ａがリザーバカップ２８の周壁２８ｅの上端の高さＨ１に配置されるので、フィードポンプ２２や電磁流量制御弁２４を通したサイフォン現象がより有効に抑制されることになる。
【００９７】
（第５実施形態）
図６は、本発明の第５実施形態に係る燃料供給システムの要部構成を示している。
【００９８】
上述の各実施形態では、電磁流量制御弁２４の流入口２４ａが電磁流量制御弁２４の下端、すなわち、第２リターン通路部Ｐ２ｂの下流端に配置されていたが、本発明にいう電磁弁や流量制御弁の流入口は、図６中に示すように、第２リターン通路部Ｐ２ｂの下流端でなく、第２リターン通路部Ｐ２ｂの途中に燃料および空気を通すことができる横穴状の流出口２４ａとして形成されてもよい。また、図６に示すように、複数の流入口２４ａが同一または異なる高さ位置に形成されてもよい。
【００９９】
この場合、本発明にいう流入口の高さ位置は、最も上側に位置し空気の導入によるサイフォン現象の抑制に寄与する横穴形状の流入口２４ａの中心高さとなり、それより下流側の配管等は、リザーバカップ２８内に流入する燃料の投入位置を液面Ｌ１から離れた液中にする機能を有することとなる。したがって、本実施形態においても、第１実施形態と同様の効果を得ることができる。
【０１００】
なお、上述の各実施形態においては、リターン通路Ｐ２を通る燃料のリザーバカップ２８内への流入を許容するとともにリザーバカップ２８内への燃料の流入量を制御可能な流入制御機構として、電磁流量制御弁２４を備えるものとしたが、本発明にいう流入制御機構は、電磁弁や流量制御弁に限定されるものではない。
【０１０１】
また、流入制御機構は、弁以外のもの、例えば流下燃料を利用して燃料を上方に汲み上げるジェットポンプであってもよい。その場合、リターン通路Ｐ２がジェットポンプ内に向かって開放され、ジェットポンプからリザーバカップ２８の外部の燃料中に及ぶ配管が燃料の汲み上げ用の配管となってもよい。本発明にいう流入制御機構は、あるいは、電磁流量制御弁２４に代えて絞り孔付きの分岐管で構成することも考えられるが、常時燃料の漏れが生じるものとなるため、流量制御機能を高めるのが望ましい。
【０１０２】
また、図１ないし図５中では、低圧側のデリバリーパイプ２６への燃料供給通路Ｐ１を形成する低圧燃料配管２５の供給配管部２５ａや、フィードポンプ２２から燃料タンク２１内へのリターン通路Ｐ２を形成する低圧燃料配管２５のリターン配管部２５ｂをそれぞれパイプ状に図示している。しかし、これら供給配管部２５ａやリターン配管部２５ｂをリザーバカップ２８やその収納容器等に一体に形成してもよいことはいうまでもない。
【０１０３】
さらに、上述の各実施形態では、電磁流量制御弁２４は、ポンプ非作動時に非通電状態で閉弁するようにしてもよく、それによって電磁流量制御弁２４からの未濾過燃料の流入を防止することも可能である。しかし、電磁弁を開弁させて余剰燃料をリターンさせる条件は、エンジン１０の燃料消費量が少ないときでも発生頻度が高いので、通電して開弁状態にする設定では、電力消費が増加してしまう。
【０１０４】
本発明の燃料供給システムは、内燃機関以外の燃料消費部にその燃料となる液体を供給する場合にも適用可能である。
【０１０５】
以上説明したように、本発明に係る燃料供給システムは、リザーバカップ内の液面がわずかに低下すると流入制御機構の流入口が空気を吸い込み得るようにしているので、リザーバカップ内の燃料がサイフォン現象により内燃機関の始動性を低下させる程度に大きく低下することを有効に抑制することのできる燃料供給システムを提供することができる。このような本発明は、燃料タンク内のリザーバカップから燃料ポンプにより燃料供給するとともに余剰燃料を燃料タンク内に戻すリターン通路を有する燃料供給システム全般に有用である。
【符号の説明】
【０１０６】
１０…エンジン（内燃機関）、１１…気筒、１１ａ…吸気ポート、２０…第１燃料供給機構、２１…燃料タンク、２２…フィードポンプ（燃料ポンプ）、２２ａ…吐出口、２３…リリーフ弁、２４…電磁流量制御弁（流入制御機構）、２４ａ…流入口、２５…低圧燃料配管、２５ａ…供給配管部、２５ｂ…リターン配管部、２５ｎ…ノズル部、２６…デリバリーパイプ（低圧側のデリバリーパイプ）、２７…インジェクタ（ポート噴射用のインジェクタ、低圧燃料噴射弁）、２８…リザーバカップ、２８ｂ…ポンプ通路、２８ｄ…内底面、２８ｅ…周壁、２９…ジェットポンプ、３０…第２燃料供給機構、３１…燃料加圧ポンプ、３２…吸入制御弁、３５…高圧燃料配管、３６…デリバリーパイプ（高圧側のデリバリーパイプ）、３７…インジェクタ（筒内噴射用のインジェクタ、高圧燃料噴射弁）、４０…燃圧可変機構、４１…燃圧制御回路、４２…ＥＣＵ（電子制御ユニット）、５１…チェック弁（一方向弁）、Ｈ１…高さ（リザーバカップの上端の位置、高さ方向の位置）、Ｈ２…高さ（吐出口の高さ、高さ方向の位置）、Ｈ３…高さ（吐出口の高さ、高さ方向の位置）、Ｌ１…液面（リザーバカップ内の液面、高液面）、Ｌ２…液面（リザーバカップ外の液面、低液面）、Ｐ１…燃料供給通路、Ｐ２…リターン通路、Ｐ２ａ…第１リターン通路部、Ｐ２ｂ…第２リターン通路部、Ｐ２ｕ…上流側リターン通路区間、Ｒ１…小容積領域、Ｒ２…大容積領域
【図１】
2014202101.tif 000003
【図２】
2014202101.tif 000004
【図３】
2014202101.tif 000005
【図４】
2014202101.tif 000006
【図５】
2014202101.tif 000007
【図６】
2014202101.tif 000008